(57)【特許請求の範囲】
【請求項１】
上下に複数のフロアを有する二階建てまたは三階建て以上の住宅において各階フロアの室内を換気するとともに、室外から取り入れた外気を暖房可能なセントラル換気暖房装置であって、
室内と室外との間を連通する筒状の配管と、
この配管の内部における強制的な空気の流れを形成する換気ユニット本体と、
前記換気ユニット本体によって取り入れられた外気を所定の温度に暖める暖房ユニットとを備え、
前記配管は、住宅の外部の空気を室内に取り入れるために住宅の外部から換気ユニット本体に連通する外部吸入配管と、この外部吸入配管から吸入された空気を換気ユニット本体を介して住宅の同一フロアの室内に供給する室内供給配管と、その室内供給配管が配置された室内と同一フロアの室内の空気を換気ユニット本体に吸入する室内吸入口と、この室内吸入口から吸入された空気を外部に排気するために換気ユニット本体から外部まで連通する外部排気配管とを備え、
前記換気ユニット本体は、室内側に位置する室内吸入口から吸入されて外部排気配管から室外に排出される空気と、室外側に位置する外部吸入配管から吸入されて室内供給配管から室内に供給される空気との間で、熱交換をする熱交換部を備え、
前記暖房ユニットは、住宅の屋外に配置され温水を沸かす温水ボイラと、前記温水ボイラによって沸かされた温水を室内に供給するための温水供給管と、前記温水供給管による温水の流れを強制的に形成する温水供給器と、前記温水供給器によって前記温水供給管から供給された温水の熱を、換気ユニット本体によって取り入れられた外気に放熱する放熱器とを有し、
前記換気ユニット本体、配管及び放熱器は、住宅の各階フロアの天井部分に各階フロア毎に独立して配置されており、
前記室内供給配管を介して取り入れられた外気を室内に吹き出すための吹出口を、室内の天井に配置し、
前記外部吸入配管および外部排気配管において最上階フロアの屋外側の端部は、軒先に開口し、下階側フロアの屋外側の端部は住宅の外壁に開口して形成されていることを特徴とするセントラル換気暖房装置。
【発明の詳細な説明】
【０００１】
【発明の属する技術分野】
この発明は、二階建てまたは三階建て以上の住宅において各階フロア毎に独立して形成されるセントラル換気暖房装置に関する。
【０００２】
【従来技術】
図７は、従来のセントラル換気暖房装置の概略模式図を示すものである。
例えば二階建て住宅において、従来のセントラル換気暖房装置100は、一階の天井部分に、強制的に空気の流れを形成する大型の換気ユニット本体110を一台設置して、住宅内の全てのフロアの室内の空気を換気するものであった。具体的には、一階の天井部分に位置して強制的に空気の流れを形成する１台の大型の換気ユニット本体110が一階の天井部分、すなわち二階の床部分に形成されている。そして、このセントラル換気暖房装置100は、住宅の外部の新鮮な空気を室内に取り入れるために住宅の外部から換気ユニット本体110に連通する外部吸入配管120と、この外部吸入配管120から吸入された空気を換気ユニット本体110を介して室内に供給する室内供給配管130,150,140とを備えている。そして、この室内供給配管130,140,150は、一階の室内に空気を供給するための一階用室内供給配管130と、二階の室内に空気を供給するための二階用室内供給配管140と、この二階用室内供給配管140及び一階用室内供給配管130を連結する縦連結配管150とから形成されている。
【０００３】
また、換気ユニット本体110には、室内の空気を暖めるための暖房ユニット180が取り付けられていた。そして、暖房ユニット180は、室外に設置された温水ボイラ181と、前記温水ボイラ181に沸かされた温水を室内に供給するための温水供給管182と、この温水供給管182による温水の流れを強制的に形成する温水供給器183と、温水供給器183により供給された温水の熱を、室内に吸入された外気に放熱するための放熱器184とを備えていた。そして、前記放熱器184は、換気ユニット本体110の直後に設けられ、放熱器184により放熱された空気を住宅内の全てのフロアの室内に供給していた。
【０００４】
そして、このセントラル換気暖房装置100は、室内の空気を換気ユニット本体110に吸入するために一階の室内天井から換気ユニット本体110に向かって通ずる室内排気配管160と、この室内排気配管160により室内から吸入された空気を室外に排出するために室外と換気ユニット本体110との間に通ずる外部排気配管170とを備えている。
【０００５】
【発明が解決しようとする課題】
しかし、上記した従来のセントラル換気暖房装置100は、一階と二階との配管の間を連結するための縦方向に延びる縦連結配管150を形成しなければならなかった。このため、住宅の内部に縦連結配管150を住宅内部に通すための配管スペースを必要とし、居住空間がその分だけ狭くなるという第１の問題点があった。
【０００６】
そして、縦連結配管150を有するため、配管の長さが長くなり、配管コストがかさむという第２の問題点があった。
そして、配管の総延長が長くなるので、全ての配管の先端まで空気を供給するために送給能力の高い大型の空気の送給機器からなる換気ユニット本体110を必要とするという第３の問題点があった。
【０００７】
また、換気ユニット本体110の直後に、換気ユニット本体110の大きさに対応した放熱器184を設置する必要があることから、各階フロアのすべてに供給される空気を暖めなければならないため放熱器184の大きさや重量が嵩んでしまい、設置場所に困ってしまうといった第４の問題点があった。
さらに、最近では、狭い土地の有効利用という面から三階建て住宅が増えてきているが、この三階建て住宅に従来のセントラル換気暖房装置100を使用しようとすると、配管の総延長も更に長くなり、換気装置本体の空気送給能力も更に大型のものを必要とし、高コストのものとなった。このため、従来のセントラル換気暖房装置100は、三階建て以上の住宅に適用することが難しくなるという第５の問題点があった。
【０００８】
そこで、本発明（請求項１記載の発明）は、上記した従来の技術の有する第１、第２、第３、第４及び第５の問題点に鑑みてなされたものであり、その目的とするところは、上下フロア間の配管スペースを不要とし、配管の総延長の短縮化、換気ユニット本体の小型化を図ることができ、二階建て住宅は勿論、三階建て以上の住宅にも容易に対応することができるセントラル換気暖房装置を提供しようとするものである。
【０００９】
これに加えて、本発明は、室内の空気を新鮮な空気に換気しても、室内の冷房効率や暖房効率等の熱効率の低下を抑えることができるセントラル換気暖房装置を提供しようとするものである。
【００１０】
これに加えて、本発明は、外気の吹出口の設置位置に制約されることなく、床面を有効に利用することのできるセントラル換気暖房装置を提供しようとするものである。
【００１１】
【００１２】
【課題を解決するための手段】
本発明は、上記した目的を達成するためのものである。
本発明（請求項１記載の発明）は、上下に複数のフロアを有する二階建てまたは三階建て以上の住宅において各階フロアの室内を換気するとともに、室外から取り入れた外気を暖房可能なセントラル換気暖房装置(10)であって、室内と室外との間を連通する筒状の配管と、この配管の内部における強制的な空気の流れを形成する換気ユニット本体(20)と、前記換気ユニット本体(20)によって取り入れられた外気を所定の温度に暖める暖房ユニット(83)とを備え、前記配管は、住宅の外部の空気を室内に取り入れるために住宅の外部から換気ユニット本体(20)に連通する外部吸入配管(30)と、この外部吸入配管(30)から吸入された空気を換気ユニット本体(20)を介して住宅の同一フロアの室内に供給する室内供給配管(40)と、その室内供給配管(40)が配置された室内と同一フロアの室内の空気を換気ユニット本体(20)に吸入する室内吸入口(50)と、この室内吸入口(50)から吸入された空気を外部に排気するために換気ユニット本体(20)から外部まで連通する外部排気配管(60)とを備え、前記換気ユニット本体(20)は、室内側に位置する室内吸入口(50)から吸入されて外部排気配管(60)から室外に排出される空気と、室外側に位置する外部吸入配管(30)から吸入されて室内供給配管(40)から室内に供給される空気との間で、熱交換をする熱交換部を備え、前記暖房ユニット(83)は、住宅の屋外に配置され温水を沸かす温水ボイラ(80)と、前記温水ボイラ(80)によって沸かされた温水を室内に供給するための温水供給管(81)と、前記温水供給管(81)による温水の流れを強制的に形成する温水供給器(84)と、前記温水供給器(84)によって前記温水供給管(81)から供給された温水の熱を、換気ユニット本体(20)によって取り入れられた外気に放熱する放熱器(82)とを有し、前記換気ユニット本体(20)、配管及び放熱器(82)は、住宅の各階フロアの天井部分に各階フロア毎に独立して配置されており、前記室内供給配管を介して取り入れられた外気を室内に吹き出すための吹出口（例えば給気グリル43）を、室内の天井に配置し、前記外部吸入配管(30)および外部排気配管(60)において最上階フロアの屋外側の端部は、軒先に開口し、下階側フロアの屋外側の端部は住宅の外壁に開口して形成されていることを特徴とする。
【００１３】
なお、ここで、このセントラル換気暖房装置(10)が「住宅の各階フロア毎に独立して形成される」とは、換気ユニット本体(20)と、それに関する配管、温水供給管(81)、放熱器(82)とが、住宅の同一フロアの換気をするために各階フロア毎に独立してそれぞれ形成されていることを意味するものである。例えば、二階建て住宅の建築躯体の場合、セントラル換気暖房装置(10)の一階用として、一階用換気ユニット本体(21)と、それに関する一階用の配管とからなる一階用セントラル換気暖房装置(11)を一階の天井部分に配置し、二階用として、二階用換気ユニット本体(22)と、二階用の配管とからなる二階用セントラル換気暖房装置(12)を二階の天井部分に配置するものを含むものである。
そして、この一階用セントラル換気暖房装置(11)と二階用セントラル換気暖房装置(12)とは、縦方向の配管等により連結されることなく、各階フロア毎に独立して配置され、独立して運転可能に形成されるものを含むものである。
【００１４】
また、一階用換気ユニット本体(21)には、一階用の放熱器(82)が、二階用セントラル換気暖房装置(12)には、二階用の放熱器(82)が各々配置されているのを含むものである。
また、「室内と室外との間を連通する筒状の配管」とは、一方の端部が室外の外壁に開口し、他方の端部が室内の内壁に開口するような筒状のものである。この配管は、室外の新鮮な空気を室内に供給するための供給専用のもの、若しくは室内の空気を室外に排出するための排出専用のもの、これらのうちいずれか一本を形成するものでも良く。さらに、供給専用と排出専用との二本を並列に形成するものも含むものである。
【００１５】
また、「配管の内部における強制的な空気の流れを形成する換気ユニット本体(20)」とは、電動モーターと、この電動モーターにより回転する多数の羽根とからなり、回転する羽根により発生する強制的な空気の流れを利用して、配管の内部の空気をいずれかの方向に強制的に移動させることができるものである。具体的には、羽根車の回転に伴って気体の遠心力を利用し、気体を圧送するシロッコファンや、プレートファン等の遠心送風機、或いはターボブロア、または数枚の羽根を軸に対して半径方向に取り付け、扇風機のように気体は軸方向に流動し、遠心力によるものではなく羽根の揚力作用による軸流送風機等を含むものである。
【００１６】
また、「温水ボイラ(80)」とは、ガスや灯油などの燃料を用いて、温水を、例えば８０度〜９０度程度に沸かすものを含むものである。また、温水供給器(84)には、温水供給管(81)の内部の自然循環力を補助する程度のものであればよく、少なくとも温水供給管(81)の内部の流れを強制的に形成することがでポンプなどがこれに含まれる。
【００１７】
本発明によれば、換気ユニット本体等が、住宅の各階フロア毎に独立して形成されている。このため、各階フロア間の縦方向に空気の供給或いは排気用の配管を通す必要がなく、かかる縦方向の配管をフロア間に通すためのスペースを設ける必要がない。これにより、かかる縦方向の配管スペースのために、居住空間が狭くなることもなく、住宅の内部空間の有効利用を図ることができる。また、かかる縦方向の配管を必要としないため、配管の総延長も短くすることができ、配管コストも抑えることができる。また、配管の総延長も短くなり、各階フロアのみの換気能力さえあれば足りるため、各階フロアに設ける換気ユニット本体(20)の能力も全館換気と比較して小型のものにすることができる。そして、各階フロア毎に独立して形成するため、住宅が三階建て以上のものとなっても、同じ配管、機器、設備を各階フロア毎に形成すれば足りるため、三階建て以上の住宅にも容易に対応することができる。また、二階建てを三階建て以上に増改築するような場合にも、同一の装置を組み込むだけで、容易に対応することができる。
【００１８】
また、放熱器(82)を換気ユニット本体(20)ごとに設置していることから、放熱器(82)は、各階フロア内を暖房するのに十分な大きさであればよく、軽量かつコンパクトとなるため、設置場所に苦労することなく、例えば天井裏などに容易に設置することができる。
【００１９】
また、上述した本発明によれば、外部吸入配管(30)から住宅の外部の空気を吸入し、吸入した空気は、換気ユニット本体(20)を介して室内供給配管(40)により住宅の同一フロアの室内に供給する。これにより、住宅外部の新鮮な空気を同一フロアの室内に供給することができる。そして、室内の空気は、室内吸入口(50)から換気ユニット本体(20)に吸入され、そこから外部排気配管(60)により、住宅の外部に排出される。これにより、室内の空気を住宅の外部に排出することができる。したがって、住宅の内部の室内の空気と、住宅の外部の空気との一部を交換することができ、いわゆる同一フロアにおける室内の換気をすることができる。
【００２０】
【００２１】
また、ここで、「熱交換部」とは、室外に排出される空気と室内に供給される空気とで内部の空気を直接、混合させることなく、熱の移動のみを行うことができるものである。例えば、熱伝導率が大きな金属や樹脂等からなるストロー状の極細薄肉円筒管を多数、配列したものである。そして、室外に排出される空気と室内に供給される空気とのいずれか一方をストロー状の円筒管の内部を通過させ、他方をその円筒管の周囲を通過させるような構造のものである。これにより、室外に排出される空気と、室内に供給される空気とで温度差がある場合に温度が高い方の熱が薄肉円筒管を介して温度が低い方に伝わるように形成されているものである。もちろん、熱交換部は、上述した構造のものに限定されることなく、熱交換機能を有するものであれば、他の構造からなるものでも良いものである。
【００２２】
そして、本発明に係る換気ユニット本体(20)は、室外に排出される空気と、室内に供給される空気との間で熱交換をする熱交換部を備えているため、室内を暖房した状態において、室内から室外に排気される暖かい空気は、熱交換部により熱が吸収され、その吸収された熱は、室外から室内に吸い込まれる室外の冷たい空気に加えられる。これにより、室内には、室外より温度が高い空気が送られることとなり、暖房状態における熱効率の低下を抑えることができる。
【００２３】
一方、室内を冷房した状態において、室外から室内に吸い込まれた暖かい空気は、熱交換部により熱が吸収され、その吸収された熱は、冷やされた室内から室外に排出される空気に加えられる。これにより、室内には、室外より温度が低い空気が送られることとなり、冷房状態における熱効率の低下を抑えることができる。
【００２４】
【００２５】
【００２６】
【００２７】
【００２８】
また、本発明によれば、吹出口(43)が、床面や壁面に配置されているものと比較して、吹出口(43)が配置されている位置に制約を受けずに、床面を有効に利用することができ、例えば家具などを床面に自由に配置することができる。
【００２９】
【００３０】
【発明の実施の形態】
以下、本発明の実施の形態を図面に基づいて、更に詳しく説明する。
図１〜６は、本発明の実施の形態を示すものであり、図１はセントラル換気暖房装置の概略模式図、図２はセントラル換気暖房装置を配置した二階建て住宅の概略斜視図、図３はセントラル換気暖房装置の一階の配管の配置の概略平面図、図４はセントラル換気暖房装置の二階の配管の配置の概略平面図、図５は換気ユニット本体を天井に取り付けた状態の縦断面図、図６は吸気グリルを天井に取り付けた状態の縦断面図をそれぞれ示す。
【００３１】
まず、本実施の形態の構成について説明する。
本実施の形態に係るセントラル換気暖房装置は、上下に二つのフロアを有する二階建て住宅における室内を換気暖房可能なものである。このセントラル換気暖房装置10は、室内と室外との間を連通する筒状の配管と、この配管の内部における強制的な空気の流れを形成する換気ユニット本体20とを備え、この換気ユニット本体20には、温水を沸かす温水ボイラ80、温水ボイラ80によって沸かされた温水を供給するための温水供給管81及び温水供給管81から供給された温水の熱を放熱する放熱器82とからなる暖房ユニット83が接続されている。
【００３２】
そして、この換気ユニット本体20、配管及び放熱器82が、住宅の同一フロアの換気をするために住宅の各階フロア毎に独立して形成されていることを特徴とするものである。
具体的には、セントラル換気暖房装置10の一階用として、一階用換気ユニット本体21とそれに関する一階用の配管とからなる一階用セントラル換気暖房装置11が一階の天井部分に配置されている。そして、二階用として、二階用換気ユニット本体22と、二階用の配管とからなる二階用セントラル換気暖房装置12が二階の天井部分に配置されている。そして、この一階用セントラル換気暖房装置11と二階用セントラル換気暖房装置12とは、縦方向の配管等により連結されることなく、一階及び二階の各階フロア毎に独立して配置され、独立して運転可能に形成されている。
【００３３】
また、一階用及び二階用の換気ユニット本体20の各々には、温水ボイラ80、温水供給管81及び放熱器82からなる暖房ユニット83が接続されている。この暖房ユニット83は、住宅の屋外に配置され、８０度〜９０度程度の温水を沸かす灯油式の温水ボイラ80と、前記温水ボイラ80に接続され、温水ボイラ80で沸かした温水を強制的に供給するための温水供給器84と、この温水供給器84に接続され、温水供給器84から供給された温水を換気ユニット本体20に温水を導入する温水供給管81と、前記換気ユニット本体20に設けられ、温水供給管81から供給された温水の熱を、前記換気ユニット本体20によって室内に導入された外気に伝達する放熱器82と、この放熱器82に一端を接続され、他端を前記温水ボイラ80に接続されて、前記放熱器82により放熱後の温度の低下した温水を再び温水ボイラ80に還元する還水管85とを備えている。
【００３４】
前記温水ボイラ80は、上記の実施の形態では、灯油式のボイラであると説明したが、温水を沸かすことができれば熱源はいずれのものであってもよく、都市ガスや電気を用いたものであってもよい。前記温水供給器84は、前記ボイラによって沸かされた温水を強制的に循環させるものであり、自然の循環力を補助する程度の供給力があればよく、本実施の形態では電動ポンプが用いられている。
【００３５】
前記温水供給管81は、その断面形状が、楕円状をなし形成されている。したがって、円形の管を用いた場合に比較して、管の内部が同じ断面積であるならば、供給量が変わることなく、円形の管を設置できないような狭い場所にも設置できる利点を備えることから、天井裏や壁パネルの内部などに設置する際にも手数を要することがない。
【００３６】
前記放熱器82は、換気ユニット本体20によって屋外から取り入れられた外気を暖めることができるものであり、本実施の形態では、例えばパネル型ヒータが用いられる。
前記配管は、住宅の外部の空気を室内に取り入れるために住宅の外部から換気ユニット本体20に連通する外部吸入配管30と、この外部吸入配管30から吸入された空気を換気ユニット本体20を介して住宅の同一フロアの室内に供給する室内供給配管40と、その室内供給配管40が配置された室内と同一フロアの室内の空気を換気ユニット本体20に吸入する室内吸入口50と、この室内吸入口50から吸入された空気を外部に排気するために換気ユニット本体20から住宅の外部まで連通する外部排気配管60とを備えている。
【００３７】
そして、このセントラル換気暖房装置10は、一階用セントラル換気暖房装置11と、二階用セントラル換気暖房装置12との二つに独立して形成されているため、上述した配管等の機器は、一階用と二階用とでそれぞれ別個に有している。すなわち、一階用セントラル換気暖房装置11は、一階用換気ユニット本体21と、一階用外部排気配管61と、一階用外部吸入配管31と、一階用室内吸入口51と、一階用室内供給配管41とを備え、一階用外部吸入配管31と一階用外部排気配管61の屋外側の端部は、図１から明らかなように、住宅の外壁に開口して形成されている。そして、二階用セントラル換気暖房装置12は、二階用換気ユニット本体22と、二階用外部排気配管62と、二階用外部吸入配管32と、二階用室内吸入口52と、二階用室内供給配管42とを備え、二階用外部吸入配管32と二階用外部排気配管62の屋外側の端部は、図１から明らかなように、住宅の軒先に開口して形成されている。
【００３８】
前記室内供給配管40の室内側の先端には、天井74の室内側表面に位置して、室内供給配管40から供給される空気の風向き等を容易に変更可能なルーバー状の給気グリル43が形成されている。前記換気ユニット本体20は、電動モーターと、この電動モーターにより回転する多数の羽根とからなり、回転する羽根により発生する強制的な空気の流れを利用して、配管の内部の空気を強制的に移動させることができるものである。すなわち、外部吸入配管30の空気を室内供給配管40に向かって、或いは室内吸入口50からの空気を外部排気配管60に向かって強制的に移動させることができるものである。
具体的には、特に図示しないが、羽根車の回転に伴って気体の遠心力を利用し、気体を圧送するターボファンと、このターボファンからの吹き出し流路を形成するケーシングとを備えているものである。
【００３９】
また、前記換気ユニット本体20は、特に図示しないが、室内側に位置する室内吸入口50から吸入されて外部排気配管60から室外に排出される空気と、室外側に位置する外部吸入配管30から吸入されて室内供給配管40から室内に供給される空気との間で、熱交換をする熱交換部を備えている。
この熱交換部は、室外に排出される空気と室内に供給される空気とで内部の空気を直接、混合させることなく、熱の移動のみを行うことができるものである。具体的には、熱伝導率が大きな金属や樹脂等からなるストロー状の極細薄肉円筒管を多数、配列したものである。そして、室外に排出される空気と室内に供給される空気とのいずれか一方をストロー状の円筒管の内部を通過させ、他方をその円筒管の周囲を通過させるような構造のものである。これにより、室外に排出される空気と、室内に供給される空気とで温度差がある場合に温度が高い方の熱が薄肉円筒管を介して温度が低い方に伝わるように形成されている。
【００４０】
なお、前記暖房ユニット83の放熱器82は、室内の熱を有効に利用するために、前記換気ユニット本体20において、前記熱交換器による熱の交換が終了が終了するとともに、後述する水分交換部による水分の交換が終了した外気と接触する位置に形成されている。
また、換気ユニット本体20は、特に図示しないが、室内側に位置する室内吸入口50から吸入されて外部排気配管60から室外に排出される空気と、室外側に位置する外部吸入配管30から吸入されて室内供給配管40から室内に供給される空気との間で、空気中に含まれる水分の交換をする水分交換部を備えている。この水分交換部は、室外に排出される空気と室内に供給される空気とで内部の空気を直接、混合させることなく、水分の移動のみを行うことができるものである。具体的には、水分を吸湿し易い和紙や化学繊維等の吸湿材料からなるストロー状の極細薄肉円筒管を多数、配列したものである。そして、吸気と排気とのいずれか一方をストロー状の円筒管の内部を通過させ、他方をその円筒管の周囲を通過させるような構造のものである。これにより、室外に排出される空気と、室内に供給される空気とのいずれか一方が水分を多く含んだ空気であって、他方が乾燥した空気の場合に水分を多く含んだ方の空気中の水分が吸湿材料からなる薄肉円筒管を介して湿度が低い方に伝わるように形成されている。
【００４１】
次に、上記した実施の形態の作用及び効果について説明する。
本実施の形態によれば、外部吸入配管30から住宅の外部の空気を吸入し、吸入した空気は、換気ユニット本体20の暖房ユニット83の放熱器82をを介して所定の温度にまで暖め室内供給配管40により住宅の同一フロアの室内に供給する。放熱器82は、温水供給器84によって温水供給管81を介して供給された温水の熱を、放熱器82によって、室内に供給する空気に伝達する。これにより、住宅の外部の新鮮かつ暖めた空気を同一フロアの室内に供給することができる。
【００４２】
なお、温水は、温水供給管84を介して放熱器82によって熱を、室内に供給する空気に伝達したのちに、還水管85を介して再び温水ボイラ80に還元され、再び温水ボイラ80によって沸かされる。そして、室内の空気は、室内吸入口50から換気ユニット本体20に吸入され、そこから外部排気配管60により、住宅の外部に排出される。これにより、室内の空気を住宅の外部に排出することができる。したがって、住宅の内部の室内の空気と、住宅の外部の空気との一部を交換することができ、いわゆる同一フロアにおける室内の換気及び暖房をすることができる。
【００４３】
そして、本実施の形態に係るセントラル換気暖房装置10は、住宅の一階と、二階との各階フロア毎に独立して形成されている。このため、一階フロアと二階フロアとの間の縦方向に空気の供給或いは排気用の配管を通す必要がなく、かかる縦方向の配管をフロア間に通すためのスペースを設ける必要がない。これにより、かかる縦方向の配管スペースのために、居住空間が狭くなることもなく、住宅の内部空間の有効利用を図ることができる。また、かかる縦方向の配管を必要としないため、配管の総延長も短くすることができ、配管コストも抑えることができる。また、配管の総延長も短くなり、各階フロアのみの換気能力さえあれば足りるため、各階フロアに設ける換気ユニット本体20の能力も、この住宅の全ての室内の換気をする、いわゆる全館換気と比較して小型のものにすることができる。また、暖房ユニット83の放熱器82も各階フロア毎に設けられていることから、放熱器82の規模を小さくすることができ設置に手数を要しない。
【００４４】
また、一階と二階との各階フロア毎に独立して形成するため、住宅が三階建て以上のものとなっても、同じ配管、機器、設備を各階フロア毎に形成すれば足り、三階建て以上の住宅にも容易に対応することができる。また、二階建てを三階建て以上に増改築するような場合にも、同一の装置を組み込むだけで、容易に対応することができる。
【００４５】
そして、本実施の形態に係る換気ユニット本体20は、室外に排出される空気と、室内に供給される空気との間で熱交換をする熱交換部を備えている。このため、室内を暖房した状態においては、室内から室外に排気される暖かい空気は、熱交換部により熱が吸収され、その吸収された熱は、室外の冷たい空気が室外から室内に吸い込まれる空気に加えられる。これにより、室内には、室外より温度が高い空気が送られることとなり、暖房ユニット83による暖房の効率の低下を抑えることができる。
【００４６】
なお、夏季などにおいて暖房ユニット83を休止させて、室内を冷房した状態においては、室外から室内に吸い込まれた暖かい空気は、熱交換部により熱が吸収され、その熱は、室内の冷やされた空気が室内から室外に排出される空気に加えられる。これにより、室内には、室外より温度が低い空気が送られることとなり、冷房状態における効率の低下を抑えることができる。
【００４７】
さらに、この換気ユニット本体20は、室外から室内に吸い込まれた空気と、室内から室外に排出される空気との間で空気中に含まれる水分の交換をする水分交換部を備えている。このため、室内の湿度が高い状態において、室内から室外に排気される水分を多く含んだ空気は、水分交換部により水分が吸収され、その吸収された水分は、室外の乾燥した空気が室外から室内に吸い込まれるときに乾燥した空気に加えられる。これにより、室内には、室外より湿度が高い空気が送られることとなり、常に室外より湿度が高い状態を維持することができる。
【００４８】
また、室内の湿度が低い状態においては、室外から室内に吸い込まれた水分を多く含んだ空気は、水分交換部により水分が吸収され、その水分は、室内の乾燥した空気が室内から室外に排出されるときに加えられる。これにより、室内には、室外より湿度が低い空気が送られることとなり、室内の湿度を常に室外より低い状態に維持することができる。
【００４９】
【発明の効果】
本発明は、以上のように構成されているので、以下に記載されるような効果を奏する。
すなわち、本発明によれば、上下の各階フロア間の配管スペースを不要とし、配管の総延長の短縮化、換気ユニット本体の小型化を図ることができ、三階建て以上の住宅にも容易に対応することができるセントラル換気暖房装置を提供することができる。
【００５０】
また、本発明によれば、室内の空気を新鮮な空気に換気しても、室内の冷房効率や暖房ユニットによる暖房効率等の低下を抑えることができるセントラル換気暖房装置を提供することができる。
【００５１】
さらに、本発明によれば、外気の吹き出し口の設置位置に制約されることなく、床面を有効に利用することのできるセントラル換気暖房装置を提供することができる。
【図面の簡単な説明】
【図１】  本発明の実施の形態を示すものであって、セントラル換気暖房装置を示す概略模式図である。
【図２】  本発明の実施の形態を示すものであって、セントラル換気暖房装置を配置した二階建て住宅を示す概略斜視図である。
【図３】  本発明の実施の形態を示すものであって、セントラル換気暖房装置の一階の配管の配置を示す概略平面図である。
【図４】  本発明の実施の形態を示すものであって、セントラル換気暖房装置の二階の配管の配置を示す概略平面図である。
【図５】  本発明の実施の形態を示すものであって、換気ユニット本体を天井に取り付けた状態を示す縦断面図である。
【図６】  本発明の実施の形態を示すものであって、吸気グリルを天井に取り付けた状態を示す縦断面図である。
【図７】  従来のセントラル換気暖房装置を示す概略模式図である。
【符号の説明】
10…セントラル換気暖房装置、11…一階用セントラル換気暖房装置、12…二階用セントラル換気暖房装置、20…換気ユニット本体、21…一階用換気ユニット本体、22…二階用換気ユニット本体、30…外部吸入配管、31…一階用外部吸入配管、32…二階用外部吸入配管、40…室内供給配管、41…一階用室内供給配管、42…二階用室内供給配管、43…給気グリル、50…室内吸入口、51…一階用室内吸入口、52…二階用室内吸入口、60…外部排気配管、61…一階用外部排気配管、62…二階用外部排気配管、71…クローゼット、72…押入、73…押入、74…天井、80…温水ボイラ、81…温水供給管、82…放熱器、83…暖房ユニット、84…温水供給器、85…還水管、100…セントラル換気暖房装置、110…換気ユニット本体、120…外部吸入配管、130…一階用室内供給配管、140…縦連結配管、150…二階用室内供給配管、160…室内排気配管、170…外部排気配管、180…暖房ユニット、181…温水ボイラ、182…温水供給管、183…温水供給器、184…放熱器。
【図１】
0003853928.tif 000002
【図２】
0003853928.tif 000003
【図３】
0003853928.tif 000004
【図４】
0003853928.tif 000005
【図５】
0003853928.tif 000006
【図６】
0003853928.tif 000007
【図７】
0003853928.tif 000008